(57)【要約】      （修正有）【課題】電池の電極に接触する端子を弾性変形させることなく電池の交換を行うことのできるコンロ装置を提供する。【解決手段】前面に電池ＢＲを収納する電池ケースを有し、その電池ケースの開口を開閉自在に覆う蓋体を備えたコンロ装置において、この蓋体３を、蓋体の下部を中心として手前側に揺動することによって電池ケースの開口を開放するように支持すると共に、蓋体の内側面に電池を抜き差し自在に保持する電池保持部を形成し、更に、この蓋体の電池保持部に電池を保持させ蓋体を電池ケース側に揺動させて電池ケースの開口を閉鎖した状態で、電池の電極に当接する端子２４を設けた。【選択図】図６
2018100801.tif 000002
【特許請求の範囲】
【請求項１】
前面に電池を収納する電池ケースを有し、その電池ケースの開口を開閉自在に覆う蓋体を備えたコンロ装置において、この蓋体を、蓋体の下部を中心として手前側に揺動することによって上記電池ケースの開口を開放するように支持すると共に、蓋体の内側面に電池を抜き差し自在に保持する電池保持部を形成し、更に、この蓋体の電池保持部に電池を保持させ蓋体を電池ケース側に揺動させて電池ケースの開口を閉鎖した状態で、電池の電極に当接する端子を設けたことを特徴とするコンロ装置。
【請求項２】
上記電池保持部は電池を縦方向に保持するように形成され、電池保持部に対して電池を上方から抜き差しするように構成したことを特徴とする請求項１に記載のコンロ装置。
【請求項３】
上記電池保持部は複数本の電池を横方向に並べて保持するように形成されていることを特徴とする請求項１または請求項２に記載のコンロ装置。
【発明の詳細な説明】
【技術分野】
【０００１】
本発明は、ガスバーナなどを天板に備えたコンロ装置であって、作動用の電源として電池を使用するものに関する。
【背景技術】
【０００２】
例えばガスバーナを備えたガスコンロ装置の場合、調理加熱の熱源はガスバーナでガスを燃焼することによって発生させているが、ガスの供給管路途中に設けられた電磁安全弁の開弁保持や自動消火等の制御、更には点火装置（イグナイタ）の駆動のための電源として電池を用いするものが多く存在する。
【０００３】
電池に蓄えられている電荷は有限であるため、電池を電源として使用する場合、電池を交換する必要がある。そこで、コンロ装置の前面に電池ケースを設け、その電池ケースに対して電池を交換自在に収納させている。そして、通常使用時に電池が外部に露出するとデザイン性が損なわれるため、電池ケースの開口は蓋体で覆われるように形成されている。
【０００４】
このようなコンロ装置として、例えば、板状の蓋体を設け、この蓋体を蓋体の下部で揺動自在に保持し、蓋体を手前側に倒すと蓋体で覆われていた奥側に電池収納部が露出するように形成されたものがある。このものでは、電池収納部内に弾性変形可能な端子が設けられており、電池を電池収納部内に収納させる際および電池収納部から電池を取り出す際には、電池を電池の長手方向にスライドさせて端子を弾性変形させながら収納および取り出しを行う必要がある（例えば、特許文献１参照）。
【０００５】
また、電池収納部を手前方向にスライドし引き出すことができるように形成すると共に、電池収納部の手前側に蓋体を設け、電池収納部をコンロ装置の内側に向かって押し込むと蓋体が電池収納部を隠すようにしたものがある。ただし、このものでも電池収納部内には弾性変形可能な端子が設けられており、電池を電池収納部内に収納させる際および電池収納部から電池を取り出す際には、電池を電池の長手方向にスライドさせて端子を弾性変形させながら収納および取り出しを行う必要がある（例えば、特許文献２参照）。
【先行技術文献】
【特許文献】
【０００６】
【特許文献１】特開２００６−３０５３号公報（図４）
【特許文献２】特開２００８−１６１８５号公報（図１１）
【発明の概要】
【発明が解決しようとする課題】
【０００７】
上記従来のものでは、いずれも電池収納部に電池を収納し、あるいは電池収納部から電池を取り出す際に、電池収納部に設けられている弾性変形可能な端子を、電池を介して弾性変形させながら行わなければならず、電池の交換作業を困難なものにしていた。また、電池収納部から電池を取り出す際には電池を指でつまむ必要があるが、電池収納部が電池の側面を覆っている場合にはうまく電池をつまむことができず、電池交換作業を更に困難にしていた。
【０００８】
そこで本発明は、上記の問題点に鑑み、電池の電極に接触する端子を弾性変形させることなく電池の交換を行うことのできるコンロ装置を提供することを課題とする。
【課題を解決するための手段】
【０００９】
上記課題を解決するために本発明によるコンロ装置は、前面に電池を収納する電池ケースを有し、その電池ケースの開口を開閉自在に覆う蓋体を備えたコンロ装置において、この蓋体を、蓋体の下部を中心として手前側に揺動することによって上記電池ケースの開口を開放するように支持すると共に、蓋体の内側面に電池を抜き差し自在に保持する電池保持部を形成し、更に、この蓋体の電池保持部に電池を保持させ蓋体を電池ケース側に揺動させて電池ケースの開口を閉鎖した状態で、電池の電極に当接する端子を設けたことを特徴とする。
【００１０】
電池を電池保持部に保持させる際には電池の電極に接触する端子を、電池を長手方向にスライドさせることによって弾性変形させる必要がない。また、電池保持部から電池を抜き取る際にも電池を長手方向にスライドさせて端子を一旦弾性変形させる必要がない。
【００１１】
なお、上記電池保持部は電池を縦方向に保持するように形成され、電池保持部に対して電池を上方から抜き差しするように構成されていれば、電池保持部への電池の抜き差し作業が容易になる。
【００１２】
また、上記電池保持部は複数本の電池を横方向に並べて保持するように形成されている場合には、複数本の電池を電池保持部に対して個々に抜き差しすることができる。
【発明の効果】
【００１３】
以上の説明から明らかなように、本発明は、電池保持部への電池の抜き差し時に電池の電極に端子を接触させる必要がないので、電池の抜き差し時に端子を弾性変形させる必要がない。
【図面の簡単な説明】
【００１４】
【図１】本発明の一実施の形態の構成を示す図
【図２】電池ボックスの詳細図
【図３】電池ボックスの分解図
【図４】カム部材の斜視図
【図５】蓋部材の裏側を示す図
【図６】電池ボックスの断面図
【発明を実施するための形態】
【００１５】
図１を参照して、１は本発明によるガステーブルコンロ装置（以下、コンロ装置という）である。このコンロ装置１の前面右側には作動用電源となる電池を収納する電池ボックス２が設けられている。この電池ボックス２内の電池は前面に取り付けられている蓋部材３によって覆い隠されている。
【００１６】
図２および図３を参照して、電池ボックス２には２本の単３型乾電池（以下、電池という）ＢＲ，ＢＬが収納されるケース本体２１と、このケース本体２１に前後方向に揺動自在に係合する上記蓋部材３と、同じくケース本体２１に対して揺動自在に保持されるカム部材４とが設けられている。
【００１７】
蓋部材３の下部には左右に突出する枢軸３１が設けられており、この２本の枢軸３１がケース本体２１に形成された左右１対の軸受部２２に係合するように構成されている。また、カム部材４は、カム部材４の左右に形成されている枢軸４１が、同じくケース本体２１に形成されている軸受部２３に係合するように構成されている。
【００１８】
カム部材４には、図４に示すように、左右１対の当接部４２と、１個所のカム突起４３が形成されている。そして、後述するように、２本の電池のうちの一方である電池ＢＲの下側の電極にカム突起４３の先端４３ａが当接して、カム部材４が揺動することによってカム突起４３が電池ＢＲを上方に押し上げるように機能する。
【００１９】
また、蓋部材３の内側面には、図５に示すように、左右１対の電池保持部３２が形成されている。この電池保持部３２に対して上記電池ＢＲ，ＢＬは共に上方から抜き差しするように構成されており、特に電池ＢＲが収納される電池保持部３２には上記カム部材４のカム突起４３が挿入される溝３３が形成されている。
【００２０】
上記構成の電池ボックス２では、図６に示すように、蓋部材３を手前に引いた状態で上方から電池ＢＲ，ＢＬを電池保持部３２に挿入する。その状態では、蓋部材３によってカム部材４の当接部４２が手前側に押され、カム突起４３が上方に位置しており、前方から向かって左側の電池ＢＬは電池保持部３２の奥まで挿入されるが、向かって右側の電池ＢＲは上方に位置するカム突起４３の先端４３ａに当接して奥まで挿入されない。この状態で蓋部材３を閉めると、カム部材４は電池ＢＲの自重で揺動され、その結果、電池ＢＲは蓋部材３の揺動に連動して電池保持部３２内を下方に移動し、蓋部材３が完全に閉まる寸前で両電池ＢＲ，ＢＬの上下の電極はケース本体２１内の端子２４に当接する。
【００２１】
次に、蓋部材３をその状態から手前に開けると、カム部材４が回転して右側の電池ＢＲのみを押し上げるので、電池ＢＲを指でつまんで引き出しやすく、その後に左側の電池ＢＬをつまんで引き出すことになる。
【００２２】
このように、電池ＢＲ，ＢＬを電池保持部３２に挿入する際には端子２４を弾性変形させる必要がなく、単に両電池ＢＲ，ＢＬを電池保持部３２に上方から差し込む。そして、そのまま蓋部材３を閉めれば、蓋部材３を押す力で電池ＢＲ，ＢＬの電極が端子２４に当接し、端子２４を弾性変形させて、電極と端子２４との密着を確保するので、電池ＢＲ，ＢＬを簡単にケース本体２１内に格納することができる。
【００２３】
なお、本発明は上記した形態に限定されるものではなく、本発明の要旨を逸脱しない範囲内において種々の変更を加えてもかまわない。
【符号の説明】
【００２４】
１  コンロ装置
２  電池ボックス
３  蓋部材
４  カム部材
２１  ケース本体
３２  電池保持部
ＢＬ  電池
ＢＲ  電池
【図１】
2018100801.tif 000003
【図２】
2018100801.tif 000004
【図３】
2018100801.tif 000005
【図４】
2018100801.tif 000006
【図５】
2018100801.tif 000007
【図６】
2018100801.tif 000008